(57)【要約】【課題】結合材が混和された木質チップを幅方向のみならず厚さ方向に対しても良好に配向させることが可能な木質チップの配向積層装置を提供する。【解決手段】結合剤が混和された細長い木質チップを、木質チップの長手方向をほぼ揃えつつ積層する木質チップの配向積層装置であって、複数の配向板が隣接する配向板間に配向用隙間を形成するように並列に立設され振動させられる整列装置と、木質チップを前記配向用隙間の略長手方向に沿って分散可能な散布手段とを備えていることを特徴とする。【選択図】      図１
2005096403.tif 000002
【特許請求の範囲】
【請求項１】
結合剤が混和された細長い木質チップを、木質チップの長手方向をほぼ揃えつつ積層する
木質チップの配向積層装置であって、複数の配向板が隣接する配向板間に配向用隙間を形
成するように並列に立設された状態で振動させられる整列装置と、木質チップを前記配向
用隙間の略長手方向に沿って分散可能な散布手段とを備えていることを特徴とする木質チ
ップの配向積層装置。
【請求項２】
散布手段が、木質チップをかき飛ばす機構を有することを特徴とする請求項1記載の木質
チップの配向積層装置
【請求項３】
木質チップをかき飛ばす機構がフィン付ローラーであることを特徴とする請求項２記載の
木質チップの配向積層装置
【請求項４】
散布手段が、風力を利用して木質チップを吹き飛ばす機構を有することを特徴とする請求
項１〜請求項３のいずれか１項に記載の木質チップの配向積層装置
【請求項５】
散布手段が、配向用隙間上方および配向用隙間内の少なくともいずれか一方に設けられた
、木質チップの自然落下を阻害する自然落下阻害手段であることを特徴とする請求項１〜
請求項４のいずれか１項に記載の木質チップの配向積層装置
【請求項６】
自然落下阻害手段が、配向用隙間上方および配向用隙間内の少なくともいずれか一方に設
けられた障害物であることを特徴とする請求項５記載の木質チップの配向積層装置。
【請求項７】
障害物が千鳥状または階段状または両者を組み合したように配列されたことを特徴とする
請求項６記載の木質チップの配向積層装置
【発明の詳細な説明】
【技術分野】
【０００１】
本発明は、細長い木質チップを結合剤と共に加圧成形して高強度木質系複合材料を得る
際の、木質チップを配向し、積層する装置に関する。
【背景技術】
【０００２】
結合剤が混和された木質チップを、木質チップの繊維方向（異方性材料の高強度方向）
と同方向に揃えて、即ち配向して、木質系マットを形成し、これを加圧又は加熱工程など
を経て固着し成形して得られた成形板は、その繊維方向の機械的強度並びに、物理的強度
が飛躍的に向上することが知られており、ＬＳＬ（ラミネーティッド・ストランド・ラン
バー）やＰＳＬ（パラレル・ストランド・ランバー）といった、構造材として使用可能な
ものが存在している。
【０００３】
木質チップの配向積層装置としては、木質片を自然落下させ、配向板の間を通過させて
配向する種々の装置が考案されている。例えば、同軸上で複数枚の円盤を一定間隔をおい
て配置し、円盤を回転させながらその円盤同士の間に木質チップを通過させることによっ
て木質チップを配向する装置や、平行に併設した複数枚の板を配置し、相互に反対方向へ
往復運動する板間を木質チップが通過することによって配向するものなどがある。
【０００４】
上記に関し、例えば特許文献１には、無機セメント及びそのセメントの中に埋め込まれ
る多数の直線状の木質ストランドから成り、特定の構成とともに、ストランドの平均の方
向が板の一縁に対して平行する如く整列せられた建築用板が開示され、同文献の第６図に
は回転ブラシを用いたストランドの整列方法が例示されている。
【０００５】
また、特許文献２には、コンベアなどから送られたストランドを表面にスパイクを突設
したピッカーロールなどにより分配し、更に表面にスパイクが突設され、平行に間隔を空
けて配備された分配ローラにより、ストランドを３つの配向システムに供給し、ストラン
ドを配向させる方法が開示されている。
【０００６】
しかし、上記の特許文献１に記載の整列方法においては、板材の幅方向（水平方向）に
対する整列が可能としても、厚さ方向（垂直方向）に対する整列は制御することが困難で
あった。
【０００７】
一方、上記特許文献２に記載の方法でストランドを分配する場合、ストランドを１つの
供給システム内で均等に分散させることが不可能である。仮に均等に分散されたとしても
、配向システム内に設置されている回転するディスクの回転方向に搬送されるストランド
が多くなり、結果的にストランドが集中して積層されることになる。
【０００８】
従って上記特許文献に開示されている何れの整列方法も、板材の幅方向（水平方向）に
対する整列は可能としても、厚さ方向（垂直方向）に対する整列は制御することは困難で
あった。
【０００９】
【特許文献１】特公昭３７−１４９２４号公報
【特許文献２】特表平１０−５０３４３８号公報
【発明の開示】
【発明が解決しようとする課題】
【００１０】
本発明の目的は、上記従来の問題点に鑑み、結合材が混和された木質チップを幅方向の
みならず厚さ方向に対しても良好に整列（以下、「配向」ともいう）させることが可能な
木質チップの配向積層装置を提供することにある。
【課題を解決するための手段】
【００１１】
上記目的を達成するために、本発明の請求項１記載の木質チップの配向積層装置（以下
、「請求項１の配向積層装置」と記す）は、結合剤が混和された細長い木質チップを、木
質チップの長手方向をほぼ揃えつつ積層する木質チップの配向積層装置であって、複数の
配向板が隣接する配向板間に配向用隙間を形成するように並列に立設され振動させられる
整列装置と、木質チップを前記配向用隙間の略長手方向に沿って分散可能な散布手段とを
備えていることを特徴とする。
【００１２】
本発明の請求項２記載の木質チップの配向積層装置（以下、「請求項２の配向積層装置
」と記す）は、請求項１の配向積層装置において、散布手段が、木質チップをかき飛ばす
機構を有することを特徴とする。
【００１３】
本発明の請求項３記載の木質チップの配向積層装置（以下、「請求項３の配向積層装置
」と記す）は、請求項２記載の配向積層装置において、木質チップをかき飛ばす機構がフ
ィン付ローラであることを特徴とする。
【００１４】
本発明の請求項４記載の木質チップの配向積層装置（以下、「請求項４の配向積層装置
」と記す）は、請求項１〜請求項３のいずれかの配向積層装置において、散布手段が、風
力を利用して木質チップを吹き飛ばす機構を有することを特徴とする。
【００１５】
本発明の請求項５記載の木質チップの配向積層装置（以下、「請求項５の配向積層装置
」と記す）は、請求項１〜請求項４のいずれかの配向積層装置において、散布手段が、配
向用隙間上および配向用隙間内の少なくともいずれか一方に設けられた、木質チップの自
然落下を阻害する自然落下阻害手段であることを特徴とする。
【００１６】
本発明の請求項６記載の木質チップの配向積層装置（以下、「請求項６の配向積層装置
」と記す）は、請求項５の配向積層装置において、自然落下阻害手段が、配向用隙間上お
よび配向用隙間内の少なくともいずれか一方に設けられた障害物であることを特徴とする
。
【００１７】
本発明の請求項７記載の木質チップの配向積層装置（以下、「請求項７の配向積層装置
」と記す）は、請求項６の配向積層装置において、障害物が千鳥状または階段状または両
者を組み合したように配列されたことを特徴とする。
【００１８】
以下、本発明を詳細に説明する。
本発明において、用いられる木質チップの樹種としては、主に、スギ、ヒノキ、スプル
ース、ファー、ラジアータパイン等の針葉樹、シラカバ、アピトン、カメレレ、センゴン
ラウト、アスペン等の広葉樹が挙げられるが、これら森林から生産される植物材料だけで
なく、竹、コウリャンといった森林以外で生産される植物材料をも含めることができる。
【００１９】
原料材に利用できる形態としては、特に限定されないが、例えば、上記樹種の丸太、間
伐材等の生材料、工場や住宅建築現場で発生する端材、部材輸送後に廃棄される廃パレッ
ト材、建築解体時に発生する解体廃材等が挙げられる。
【００２０】
上記原料材を木質チップにする加工方法としては、ロータリーカッターによってベニア
加工したものを割り箸状に切断してスティックにする方法、フレーカーの回転刃によって
丸太を切削してストランドにする方法、一軸破砕機の表面に刃物のついたロールを回転さ
せて木材を破砕する方法等を用いることができる。そして上記のようにして破砕された木
質チップは、その厚さが不揃いの場合は、必要に応じて一定範囲の厚さの木質チップに分
級されるが、分級方法は、一定範囲の厚さで分級できるものであれば特に限定されないが
、例えばウェーブローラ方式等の分級機を用いて分級する方法が挙げられる。なお、ウェ
ーブローラ方式の分級機は、チップの厚さを基準に連続的に分級する装置である。
【００２１】
また、このようにして得られた木質チップは、通常、積層前に塗布、噴霧や混合などに
よって結合剤と混合されるが、結合剤としては、フェノール樹脂、尿素樹脂、イソシアネ
ート等、合板やパーティクルボードに用いられる木材工業用の接着剤が挙げられ、これら
の結合剤は、単独或いは数種類を併用しても良い。また、結合剤は、液状でも粉末状でも
構わないが、液状の場合は一般に木質チップに噴霧したり、木質チップと撹拌混合して予
め木質チップに担持させた状態で配向積層装置に供給され、粉末状の場合は、一般に木質
チップと均一に混合した状態で、配向積層装置に供給される。
【００２２】
さらに、木質チップは、含水率を一定にすることが好ましい。含水率を一定にすること
で生産時の木質系複合材料の品質バラツキがなくなる。好ましい含水率としては、０〜３
０％である。含水率を一定にする方法としては、例えば、温調したオーブン中に一定時間
木質チップを放置する方法が挙げられる。因みに、５０℃のオーブンに２４時間放置する
と、含水率はほぼ５％程度に保たれる。
【００２３】
木質チップは細長い形状のものである。即ち、樹木の繊維方向が長手方向と同じ方向と
されたチップであり、厚さ及び幅は、いずれも１ｍｍ以上で上限は特にないが、製造され
る木質系複合材の厚さの５分の１以下とされることが好ましい。長さは幅又は厚さの大き
い方の寸法の５倍以上が好ましい。但し、製品の外観向上のために、１ｍｍ以下の木質チ
ップが表面側に配される場合もある。
【００２４】
本発明において、長手方向をほぼ揃えるとは、積層後の表面状態を撮像し、細長い木質
チップの長軸の長軸方向と基準線の方向とがなす角度を測定したときに、その角度の平均
値（平均配向角度ともいう）が、±３０度の範囲内にある状態をいう。なお、基準線の方
向とは、搬送方向に沿った方向をいい、得られる木質複合材の長手方向と一致するもので
ある。
【００２５】
結合剤を混和された木質チップが配向積層された木質積層マットは、搬送装置によって
、プレス機のところまで運ばれる。そして、プレス装置によって加圧又は加熱成形されて
所望の厚さの木質系複合材料が形成されるようになっている。加熱方法としては、特に限
定されないが、例えば、熱盤のように木質チップの表面から伝熱により内部に熱を伝える
方法や、蒸気噴射や高周波加熱等のように内部を直接加熱する方法が挙げられる。
【００２６】
さらに、木質積層マットから得られる木質系複合材料は、プレス成形後の寸法精度や表
面性を向上させるために、アニール処理や、切削、サンディング加工を行うことが好まし
い。
【００２７】
本発明の配向積層装置は、複数の配向板が隣接する配向板間に配向用隙間を形成するよ
うに並列に立設され振動させられる整列装置が設けられたものである。複数の配向板は互
いに等間隔とされていること、すなわち、各配向用隙間が同じ幅となることが望ましい。
すなわち、各配向用隙間の幅が同じであれば、それぞれの配向用隙間毎の木質チップの配
向の程度がほぼ同じとなり、従って得られる成型品の強度ばらつきが少なくなる効果が大
きくなる。この範囲を超えて不均一な間隔とされれば、得られる木質系複合材料の強度が
ばらつく恐れがある。
【００２８】
上記配向用隙間の幅（隣接する配向板間の間隔）と木質チップの厚さとの間には、高強
度の木質系複合材料を得るために、より好ましい関係があり、例えば、木質チップの厚さ
が１ｍｍ〜１１ｍｍである場合、配向用隙間の幅を２０ｍｍ〜４０ｍｍとすることが好ま
しく、木質チップの厚さが３ｍｍ〜５ｍｍである場合、配向用隙間の幅を２０ｍｍ〜３０
ｍｍとすることが好ましい。
【００２９】
また、配向板が、例えば帯状鉄板等で互いに連結されて一体化されていることが好まし
い。連結の方法は特に制限されないが、木質チップの配向を妨げない位置で連結する方法
でなければならない。例えば一例として、配向積層装置を構成する配向板の、上流側上端
部又は下流側上端部を、帯状鉄板を溶接等して連結する方法などが挙げられる。
さらに、本発明の整列装置は、配向板が、振動させられるが、配向板を振動させる方法
としては、特に限定されないが、たとえば、上記のように配向板が帯状鉄板を用いて連結
されたものにおいては、通常その帯状鉄板または一番外側に立設される配向板（以下、「
最外側の配向板」とも言う）にバイブレータなどの振動手段を取り付け、この振動手段に
よって振動を付与する方法が挙げられる。そして、上記のように配向板に振動が付与され
た状態で配向用隙間に、配向用隙間上方から結合剤が混和された細長い木質チップが投入
されると、木質チップが配向用隙間に分散されて落ち込み、配向用隙間の長手方向に沿っ
て並べられ、積層される。
【００３０】
ところで、配向用隙間内に入り込んだ木質チップは、その長手方向が配向用隙間の長手
方向と略同じとなるように配向されながら配向用隙間内を落下する。即ち、長手方向が揃
えられて配向する。配向用隙間内を落下する配向板と接触している木質チップは、配向板
を振動させると、配向板との摩擦より振動を受けて動く。動いている状態では摩擦力が減
少するので、木質チップは容易にその姿勢を変えることが出来る。従って配向が容易に行
われる。更に、振動を受けることで、長手方向が垂直方向に向いている木質チップは、そ
の方向が水平方向に倒れ易くなり、更に、隣り合う木質のチップ同士の摩擦力も減少して
木質チップ同士によるブリッジ現象が起こり難くなり、配向が容易になる。
【００３１】
即ち、配向板を振動させないと、配向用隙間内を落下して搬送装置上に配向積層された
木質チップが、配向板との摩擦によって詰まってしまう恐れがあり、搬送装置上の木質積
層マットが割れて不連続になってしまったり、積層厚さを大きくできなかったりすること
があるが、振動を加えることで、木質チップが微小に空中に浮くように振動して容易に移
動し、これらを防止できるのである。
【００３２】
また、整列装置の下方には、配向積層された木質チップを搬出するためのベルトコンベ
ア等の搬送装置を設けることが好ましい。そして、搬送装置上面と整列装置における複数
の配向板の下端との間には、振動時に配向板下端部が搬送装置上面と衝突しないために、
所定の距離の隙間が設けられることが好ましい。この隙間は、整列装置における最外側の
配向板で、通常、該距離が１〜５ｍｍ程度とされることが好ましい。即ち、該距離が１ｍ
ｍ未満の場合は、木質チップと配向板との摩擦が大きくなりすぎることがあり、５ｍｍを
超える場合は、木質チップが外部にこぼれやすくなることがある。
【００３３】
また、最外側の配向板以外の配向板では、該距離は１〜５０ｍｍ程度とされることが好
ましい。即ち、最外側の配向板以外の配向板の場合、該距離が１ｍｍ未満であると、木質
チップと板との摩擦が大きくなりすぎることがあり、５０ｍｍを超えると、配向した木質
チップが隣の列にはみ出して整列の拘束が解かれ乱れてしまうことがある。
【００３４】
また、各配向板は、落下した木質チップが配向板上端辺の同じ場所に滞まって、次に落
下してくる木質チップに衝突してその落下を妨げることがないように、その上端辺が搬送
方向に沿って傾斜していると良い。即ち、配向板上に架かった細長い木質チップは、配向
板が振動することで滑り易くなり、一部は配向用隙間内に落下し、また一部は傾斜に沿っ
て滑って移動する。従って、次に投入される木質チップがスムースに配向用隙間内に落下
することを妨げなくなるので、搬送装置上に木質チップが一層均一にかつスムースに配向
積層され易くなる。しかも、配向板を振動させることで、配向板上端辺に架かった木質チ
ップは滑り易くなり、その位置を変える。従って、傾斜は搬送方向に向かって下り勾配と
されることが良いが、木質チップがその位置を変えさえすれば良いのであるから、搬送方
向に向かって上り勾配とされていても良い。
【００３５】
なお、上記傾斜が搬送方向に向かって下り勾配とされている場合、配向板は、搬送方向
の斜め上前方に向かうように振動させることが好ましい。
【００３６】
更に、整列装置の下方に配向積層された木質チップの搬送装置が設けられている場合、
立設された板を振動させることにより、板と木質チップの摩擦力が減少し、配向積層され
た木質チップが詰まることなく、スムースに整列装置から搬出される。更に、摩擦力が低
下することから、木質チップの配向積層時の積層厚さを大きくすることが可能となる。
【００３７】
また、本発明においては、木質チップを前記配向用隙間の略長手方向に沿って分散可能
な散布手段が設けられる。
散布手段としては、特に限定されないが、例えば、請求項２の配向積層装置のように、
木質チップをかき飛ばす機構を有するものや、請求項４の配向積層装置のように、風力を
利用して木質チップを吹き飛ばす機構を有するものや。請求項５の配向積層装置のように
、配向用隙間上および配向用隙間内の少なくともいずれか一方に設けられた、木質チップ
の自然落下を阻害する自然落下阻害手段などが挙げられる。
【００３８】
木質チップをかき飛ばす機構としては、特に限定されないが、例えば、フィン付きロー
ラのようにローラの回転によって木質チップをかき飛ばす機構を備えたものが、分散性が
向上する点でより好ましい。
【００３９】
木質チップを風力により吹き飛ばす機構としては、特に限定されないが、例えば、複数
の配向板によって形成される配向用隙間の略長手方向に沿った向きにファン等により風を
送風する機構を有するものが挙げられる。この際、用いるファンとしては、風量の調整が
容易で、風速のバラツキが少ないシロッコファンが、分散性が安定する点で好ましい。
【００４０】
上記木質チップの自然落下を阻害する手段としては、特に限定されないが、例えば、配
向用隙間を形成する配向板と配向板との間に棒状又は板状の障害物が設けられたものが挙
げられ、障害物が千鳥状又は階段状に配設されると、分散性が更に向上する点で好ましい
。
【００４１】
また、本発明における散布手段は、上記のような手段が複数組み合わされて併用された
ものであってもよい。
【発明の効果】
【００４２】
本発明によれば、複数の板が搬送方向に沿って並列に立設されて振動される整列装置が
搬送装置上に設けられ、木質チップを前記複数の板の間に搬送装置の進行方向に沿って分
散可能な散布手段が設けられたことを特徴とするので、結合材が混和された木質チップを
幅方向のみならず厚さ方向に対しても良好に整列（以下、「配向」ともいう）させること
ができる。特に積層厚みを大きくする際に上記効果は顕著である。
【００４３】
このため、この装置を用いて得られた木質積層マットを、例えばプレス成形して得られ
る木質系複合材料は極めて高い強度を有するものとなる。
【００４４】
上記散布手段として、例えばフィン付ローラなどの木質チップをかき飛ばす機構を有す
るものや、風力を利用して木質チップを吹き飛ばす機構を有するものが用いられた場合に
は、上記効果は更に確実なものとなる。
【００４５】
また、散布手段として棒状又は板状の障害物が千鳥状又は階段状に配設されるなど、木
質チップの自然落下を阻害する手段が前記複数の板の間に用いられた場合には木質チップ
の分散性が向上し、上記効果は更に確実なものとなる。
【発明を実施するための最良の形態】
【００４６】
以下、本発明を実施するための最良の形態について、図面を参照しつつ更に説明する。
図１及び図８は、本発明にかかる木質チップの配向積層装置を例示したものであり、搬
送装置２の搬送方向３に沿って並列に立設された配向板１１，１１・・が帯状鉄板１２お
よび１３で互いに連結された整列装置３１が搬送装置２上に設けられている。
【００４７】
木質チップ１，１・・を供給するためのベルトコンベア２１端部の上部には、上記整列
装置３１の複数の配向板１１，１１・・によって形成される配向用隙間１１ａに木質チッ
プを分散して供給可能な散布手段としてフィン付ローラ２０が設けられている。
即ち、この配向積層装置は、図１及び図８に示すように、ベルトコンベア２１上に供給
された結合剤を混和した木質チップ１，１・・を、ベルトコンベア２１が矢印の方向に進
んで木質チップ１，１・・を搬送すると同時に、フィン付ローラを回転させることにより
、フィン付ローラのフィン２４によって、木質チップ１，１・・を搬送装置２の搬送方向
３にかき飛ばし、配向用隙間１１ａ内に分散させた状態で供給できる。このため、搬送装
置２上に積層された木質チップ１，１・・の厚さ方向における積層配向角αを小さくする
ことができる。
【００４８】
上記フィン付ローラ２０は、図２に示すようにベルトコンベア２１の端部の下部に設置
されてもよい。また、図３に示すように、複数のフィン付ローラ２０，２０が用いられて
もよい。
【００４９】
上記のようにして、搬送装置２上に配向されて積層された木質チップは、図１又は図２
に示す整列装置３１の開口部１４，１４・・から搬送方向３に向かって搬送される。
【００５０】
図４〜７及び図９，１０は散布手段として、木質チップの自然落下を阻害する手段を配
向板１１間に設けられる配向用隙間１１ａ内に設けたものを説明する模式図である。
【００５１】
図４においては、配向板１１間に設けられた配向用隙間１１ａ部分に、木質チップの自
然落下を阻害する手段として棒状の障害物（以下、「棒状体」ともいう）１５，１５・・
が配設されている。また、図６及び図９においては板状の障害物（以下、「板状体」とも
いう）１６，１６・・が配設されている。上記において、棒状又は板状の障害物１５，１
６の固定方法としては、特に限定されないが、配向板１１，１１・・の共振を防止し易く
なる点で、隣り合う配向板１１，１１間に連結固定することが好ましい。
【００５２】
上記棒状の棒状体１５の形状としては、特に規定されず、円柱状や角棒状のものが好適
に使用される。その太さは、３ｍｍ以上が好ましく、より好ましくは、５〜１０ｍｍであ
る。また、棒状体１５の設置位置は、木質チップの落下地点から落下地点の前方５０ｍｍ
以内が好ましく、より好ましくは２０ｍｍ以内である。
【００５３】
上記板状体１６の形状としては、特に限定されないが、その長さは、１０ｍｍ以上が好
ましく、より好ましくは１５〜５０ｍｍである。またその設置位置は前記棒状体と同様の
設置位置が好ましいが、設置する角度は、立設した配向板１１，１１・・の上部角度と同
等若しくは角度の差が２０度以内であることが好ましい。より好ましくは角度の差が１０
度以内である。
【００５４】
また、図５においては、分散性を向上させるために、上記棒状体１５を千鳥状に配設し
たものである。更に、図７及び図１０においては、分散性を向上させるために、上記板状
体１６を階段状に配設したものである。この場合、棒状体１５又は板状体１６における進
行方向又は高さ方向の間隔は、用いる木質チップの長さ分布により適宜選択されるが、通
常１０〜１００ｍｍ、好ましくは２０〜５０ｍｍとされる。これらの間隔は全てを同一に
する必要はなく、例えば進行方向の間隔が２０ｍｍ、高さ方向の間隔が３０ｍｍというよ
うに、各々の間隔が異なってもよく、また、搬送方向に沿って段階的に間隔が狭くなった
り、また各方向の双方共に段階的に狭くなったりしてもよい。上記のように千鳥状又は階
段状に配設することにより、分散性を更に向上することができる。
【実施例】
【００５５】
以下に実施例および比較例を示すことにより、本発明を具体的に説明する。
尚、本発明は下記実施例のみに限定されるものではない。
【００５６】
（実施例１）
図１及び図８に示すように、ベルトコンベア２１（巾３１０ｍｍ）上に接着剤を混和し
た木質チップ１，１・・を供給し、ベルトコンベア２１を矢印方向に搬送しながらフィン
付ローラ２０を回転させ、木質チップ１，１・・を、搬送装置２上に設けられた複数の配
向板１１が搬送方向３に沿って並列に立設され振動される整列装置３１の配向板１１，１
１・・の間に搬送装置２の進行方向に沿ってかき飛ばした。
【００５７】
フィン付ローラ２０は、短片状の金属フィン２４（巾×長さ＝２５×４５ｍｍ、ピッチ
１００ｍｍ、取付角度４５°）を金属ロール（φ１００、巾３５０ｍｍ）表面に千鳥状に
溶接固定した。なお、木質チップの供給量は１ｋｇ／分であった。また、上記整列装置３
１は、長さ５００ｍｍ、高さ５００ｍｍ、厚さ１．２ｍｍのステンレススチール配向板１
１，１１・・がピッチ２５ｍｍで並列に立設されている。
【００５８】
上記搬送装置２と整列装置３１との間隙は、最外側に立設された配向板１１，１１の下
端部、及びそれ以外の配向板１１，１１・・の下端部共に２ｍｍの間隙とした。また、上
記最外側の配向板１１，１１の下端部には、積層配向角αが測定可能なように透明アクリ
ル板を用いた。尚、何れの配向板１１，１１・・においても、その上端辺の傾斜角は搬送
方向３に沿った水平方向から下方に１０度とした。上記整列装置３１には、振動モータ２
機（ＲＶ−２４Ｄ、神鋼電機社製）を最外側の配向板１１，１１の両側の側面に取り付け
、水平方向に対し斜め上方に振動させた（振幅２ｍｍ、振動数１７２０回／分）。
【００５９】
上記の配向積層装置を用い、搬送装置２上に木質チップを積層し搬送した。搬送速度は
毎分１ｍとした。
【００６０】
（実施例２）
図４に示すように、木質チップの自然落下を阻害する手段として、整列装置３１におけ
る配向板１１，１１・・の間の隙間部分に棒状体１５，１５・・を用い、フィン付ローラ
を用いなかったこと以外は実施例１と同様の装置を用い木質チップを積層し搬送した。尚
、棒状体１５の取付位置は、木質チップの落下地点の前方１５ｍｍとした。
【００６１】
（実施例３）
図５に示すように、棒状体１５，１５・・を千鳥状に配設したこと以外は実施例２と同
様の装置を用い木質チップを積層し搬送した。尚、千鳥状に配設された棒状体１５，１５
・・の進行方向及び高さ方向の間隔は何れも２５ｍｍとした。
【００６２】
（実施例４）
図６及び図９に示すように、木質チップ１の自然落下を阻害する手段として、整列装置
３１における配向板１１，１１・・の間の隙間部分に、棒状体１５，１５・・に替えて板
状体１６，１６・・を用いたこと以外は実施例２と同様の装置を用い木質チップを積層し
搬送した。尚、板状体の長さは２５ｍｍ、取付角度は立設した配向板１１，１１・・の上
端辺の傾斜角と同じく１０度とした。
【００６３】
（実施例５）
図７及び図１０に示すように、板状体１６，１６・・を階段状に配設したこと以外は実
施例４と同様の装置を用い木質チップを積層し搬送した。尚、階段状に配設された板状体
１６，１６・・の進行方向及び高さ方向の間隔は何れも２５ｍｍとした。
【００６４】
（比較例１）
図１１に示すように、フィン付ローラを用いなかったこと以外は実施例１と同様の装置
を用い木質チップを積層し搬送した。
【００６５】
上記実施例及び比較例について以下の方法で、積層配向角αを測定した。測定結果は表
１に示した。
（測定方法）
整列装置３１における最外側の配向板１１，１１の下端部３０ｍｍの部分に透明なアク
リル板を用い、図８〜図１１に例示するような搬送装置２上に積層された木質チップ１の
厚さ方向における傾きを測定し積層配向角αを求めた。尚、表１に示す測定値は１００個
の木質チップにおける積層配向角αの平均値を示したものである。
（評価方法）  各配向積層装置の両サイドの板とコンベアとのクリアランス30mmの部分に
透明な
アクリル板を設置し、配向積層されたチップの傾きを評価した。以下評価結果は100個の
チップの平均値を示したものである。
（評価結果）  表1に結果を示す。比較例１に対し、各実施例は何れも垂直方向の配向角
度が軽減されている。特に実施例３および６は、高さ方向の配向抑制効果が大きい。高さ
方向の配向角度が軽減されることにより、これらで配向積層された木質チップを加圧成形
しても、高さ方向の配向が低減されるため、機械的物性の向上度合いが大きく図れる。
【００６６】
【表１】
2005096403.tif 000003
【００６７】
表１より明らかなように、本発明の実施例においては、何れも厚さ方向の積層配向角α
が小さく制御されていることが判明した。即ち、本発明のように散布手段を設ければ、木
質チップの上方に向く角度αが低減でき、厚み方向の配向による強度効果が薄れにくい。
したがって、厚みが厚く強度的にも優れた木質系複合材料を得られることがよくわかる。
中でも実施例３及び５は、特に小さな積層配向角αが得られ、厚さ方向に対して極めて良
好に配向されることが判明した。
【００６８】
このため、上記実施例により配向積層された木質積層マットを、例えばプレス成形して
得られる木質系複合材料は、極めて優れた機械的物性を発揮することが可能なものとなる
。
【産業上の利用可能性】
【００６９】
本発明の配向積層装置は、得られる積層マットをプレスあるいは加熱プレス成形するこ
とによって、厚みのある強度的に優れた木質系複合材料を得ることができる。したがって
、得られた木質系複合材料は、梁，柱材などの構造材や家具材として好適に使用できる。
【図面の簡単な説明】
【００７０】
【図１】本発明に係る木質チップの配向積層装置の一例を示す模式斜視図である。
【図２】本発明に係る木質チップの配向積層装置の他の一例を示す模式斜視図である。
【図３】フィン付ローラを２個用いた配向積層装置の一例を示す説明図である。
【図４】本発明における整列装置の一例を示す模式斜視図である。
【図５】本発明における整列装置の他の一例を示す模式斜視図である。
【図６】本発明における整列装置の更に他の一例を示す模式斜視図である。
【図７】本発明における整列装置の更に他の一例を示す模式斜視図である。
【図８】本発明における木質チップの整列状況の一例を示す説明図である。
【図９】本発明における整列状況の他の一例を示す説明図である。
【図１０】本発明における整列状況の更に他の一例を示す説明図である。
【図１１】比較例における木質チップの整列状況を示す説明図である。
【符号の説明】
【００７１】
１  木質チップ
２  搬送装置
３  搬送方向
１１  配向板
１１ａ  配向用隙間
１４  開口部
１５  棒状の障害物（棒状体）
１６  板状の障害物（板状体）
２０  フィン付きローラ
２１  ベルトコンベア
３１  整列装置
【図１】
2005096403.tif 000004
【図２】
2005096403.tif 000005
【図３】
2005096403.tif 000006
【図４】
2005096403.tif 000007
【図５】
2005096403.tif 000008
【図６】
2005096403.tif 000009
【図７】
2005096403.tif 000010
【図８】
2005096403.tif 000011
【図９】
2005096403.tif 000012
【図１０】
2005096403.tif 000013
【図１１】
2005096403.tif 000014